(57)【要約】      （修正有）【課題】回転式乾燥ドラムのモップに使用するハンドルジャケットの長寿命化を図った回転式ハンドルジャケットを提供する。【解決手段】スリーブ２の中の小円部分はワッシャー４と接続ジャケット３の内円に挿し込まれ、スリーブ２の大円部分の端面上にはボール５をはめ込んだボールフレーム６を設置する。さらに、全部を回転ジャケット７に嵌め込み、孔広げステージ１には前もって装着したボール５を含むボールフレーム６や、スリーブ２、ワッシャー４などを嵌め込む。最後に孔広げステージ２に接続ジャケット３を嵌め込み、それとロッキング接続することを特徴として、モップロッド上に嵌め込まれる回転式ハンドルジャケットを構成する。【選択図】図１
0003166832.tif 000002
【実用新案登録請求の範囲】
【請求項１】
モップロッド（１）や、
モップロッド（１）上に固定し、嵌まり込まれるハンドルジャケットコンポーネントが含まれ、
そのハンドルジャケットコンポーネントには、
外表面リングは、更に小円部分（８）と大円部分（９）のステージに分けられる、リング状のスリーブ（２）、
リング状の接続ジャケット（３）、
リング状のワッシャー（４）、
複数のボール（５）、
平面には複数の孔（１０）がある、リング状のボールフレーム（６）、
円筒の１端に孔広げステージ１（１１）と孔広げステージ２（１２）が設置される円筒状の手握り回転ジャケット（７）などが含まれており、
スリーブ（２）の中の小円部分（８）はワッシャー（４）と接続ジャケット（３）の内円に挿し込まれ、スリーブ（２）の大円部分（９）の端面上にはボール（５）の嵌れたボールフレーム（６）が設置され、最後に全部を回転ジャケット（７）に嵌め込まれ、前記孔広げステージ１（１１）には次第に前もって装着したボール（５）を含むボールフレーム（６）や、スリーブ（２）、ワッシャー（４）などを嵌め込み、最後に孔広げステージ２（１２）に接続ジャケット（３）を嵌め込み、それとロッキング接続されることを特徴とする、モップロッド上に嵌め込まれる回転式ハンドルジャケット。
【請求項２】
請求項１において、スリーブ（２）の内円とモップロッド（１）の外表面はロッキング固定によって接続され、スリーブの小円部分（８）の直径はワッシャー（４）内円と接続ジャケット（３）の内円より小さいことを特徴とする、回転式ハンドルジャケット。
【請求項３】
請求項１において、ボールフレーム（６）内円はモップロッド（１）の外表面より大きく、ボールフレーム（６）中の孔（１０）の形状はいずれも半球状の透き通りの孔であることを特徴とする、回転式ハンドルジャケット。
【請求項４】
請求項１において、回転ジャケット（７）の内円はいずれもモップロッド（１）の外表面より大きく、回転ジャケット（７）内円の中の孔広げステージ１（１１）の直径はスリーブの大円部分（９）、ワッシャー（４）の外円とボールフレーム（６）の外円より大きく、孔広げステージ１（１１）の長さはちょうどボール（５）の嵌れているボールフレーム（６）や、スリーブの大円部分（９）及びワッシャー（４）を収容できることを特徴とする、回転式ハンドルジャケット。
【考案の詳細な説明】
【技術分野】
【０００１】
本考案はモップに使われるハンドルジャケット構造の技術分野に関わるものである。
【背景技術】
【０００２】
目下、従来の回転式乾燥ドラムに使われるモップは、ハンガージャケット、スチールパイプ、ハンドルジャケット、中間ロッド及びモップヘッド部によって接続され構成されている。このハンドルジャケットは単一の長筒型のジャケットで、スチールパイプに固定されておらず、モップを取り付けた後、ハンドルジャケットはスチールパイプ中のハンガージャケットとスチールパイプと中間ロッドとのロック位置の間を自由にスライデドすることがある。モップを回転式乾燥ドラムに入れて使う場合、手でハンドルジャケットを握り、モップを乾燥ドラムの中で高速に回転させることができるが、ハンドルジャケットは手振りに従って、スチールパイプとスチールパイプ中間ロッドのロックの位置で摩擦が発生し、ハンドルジャケットは摩擦の作用によって非常に破損し易くなる。
【考案の概要】
【０００３】
そこで従来の回転式乾燥ドラムに使われているハンドル寿命の不足を克服するために、本実用新案では回転式ハンドルジャケットを提供することによって、この回転式ハンドルジャケットは、回転できるだけでなく、摩擦を低下させることもでき、製品の使用寿命を延ばす装置を提供することを目的とするものである。
【０００４】
本考案では上記技術課題を解決するために、次に技術考案を利用する。つまり、モップロッドに嵌まり込まれる回転式ハンドルジャケットは、モップロッド、モップロッド上に嵌まり込まれて固定されるハンドルジャケットの機構コンポーネント、前記ハンドル機構コンポーネントには、外表面リングが小円部分と大円部分とのステージ状となるリング状スリーブ、リング状の接続ジャケット、リング状のワッシャー、複数のボール、平面上に複数の孔が付いているリング状のボールフレーム、円筒の１端に孔広げステージ１と孔広げステージ２が設置される円筒状の手握り回転ジャケットなどが含まれている。スリーブの中の小円部分はワッシャーと接続ジャケットの内円に挿し込まれ、スリーブの大円部分の端面上にはボールの嵌れたボールフレームが設置され、最後に全部を回転ジャケットに嵌め込まれ、前記孔広げステージ１には次第に前もって装着したボールを含むボールフレームやスリーブ、ワッシャーなどを嵌め込み、最後に孔広げステージ２に接続ジャケットを嵌め込み、それとロッキング接続される。スリーブの内円とモップロッドの外表面はロッキング固定によって接続され、スリーブの小円部分の直径はワッシャー内円と接続ジャケットの内円より小さい。ボールフレーム内円はモップロッドの外表面より大きく、ボールフレーム中の孔の形状はいずれも半球状の透き通りの孔であり、回転ジャケットの内円はいずれもモップロッドの外表面より大きい。回転ジャケット内円の中の孔広げステージ１の直径はスリーブの大円部分、ワッシャーの外円とボールフレームの外円より大きく、孔広げステージ１の長さはちょうどボールの嵌れているボールフレームや、スリーブの大円部分及びワッシャーを収容できることを特徴とするモップロッド上に嵌れる回転式ハンドルジャケット。当該ハンドルジャケット機構コンポーネントをモップロッド上に固定・嵌める際、モップロッドが固定不動の状態で、ハンドルジャケットは自由に回転でき、回転式ハンドルジャケットを使ったモップは使用中３６０°回転することができ、製品がより徹底的に家の中を掃除できるようにする。
【０００５】
本実用新案の有益な効果としては、モップが乾燥ドラムの中で高速に回転する際、手握り回転式ハンドルジャケットと手握りの公知のハンドルジャケットを比べると、新案のハンドルジャケットの方が摩擦を減らしたため、製品の寿命を延ばすことができる。
【図面の簡単な説明】
【０００６】
【図１】本実用新案コンポーネントの半断面見取図と回転ジャケット中の孔広げステージ１の長さを示す見取図である。
【図２】本実用新案の組立を示す見取図である。
【図３】本実用新案のスリーブが小円部分と大円部分のステージ状となることを示す見取り図である。
【図４】本実用新案のボールフレーム中の孔を示す見取図である。
【図５】本実用新案の回転ジャケット内円の一端に孔広げステージ１と孔広げステージ２が設置されることを示す見取図である。
【考案を実施するための形態】
【０００７】
次は図面と実施例に合わせて、本実用新案について更に説明する。
【０００８】
図１〜５のとおり、モップロッド（１）や、モップロッド（１）上に固定・嵌れるハンドルジャケット機構コンポーネントを含み、前記ハンドル機構コンポーネントには、外表面リングが小円部分（８）と大円部分（９）とのステージ状となるリング状スリーブ（２）、リング状の接続ジャケット（３）、リング状のワッシャー（４）、複数のボール（５）、平面上に複数の孔（１０）が付いているリング状のボールフレーム（６）、円筒の１端に孔広げステージ１（１１）と孔広げステージ２（１２）が設置される円筒状の手握り回転ジャケット（７）などが含まれており、スリーブ（２）の中の小円部分（８）はワッシャー（４）と接続ジャケット（３）の内円に挿し込まれ、スリーブ（２）の大円部分（９）の端面上にはボール（５）の嵌れたボールフレーム（６）が設置され、最後に全部を回転ジャケット（７）に嵌め込まれ、前記孔広げステージ１（１１）には次第に前もって装着したボール（５）を含むボールフレーム（６）や、スリーブ（２）、ワッシャー（４）などを嵌め込み、最後に孔広げステージ２（１２）に接続ジャケット（３）を嵌め込み、それとロッキング接続される。スリーブ（２）の内円とモップロッド（１）の外表面はロッキング固定によって接続され、スリーブの小円部分（８）の直径はワッシャー（４）内円と接続ジャケット（３）の内円より小さく、ボールフレーム（６）内円はモップロッド（１）の外表面より大きく、ボールフレーム（６）中の孔（１０）の形状はいずれも半球状の透き通りの孔であり、回転ジャケット（７）の内円はいずれもモップロッド（１）の外表面より大きく、回転ジャケット（７）内円の中の孔広げステージ１（１１）の直径はスリーブの大円部分（９）、ワッシャー（４）の外円とボールフレーム（６）の外円より大きく、孔広げステージ１（１１）の長さはちょうどボール（５）の嵌れているボールフレーム（６）や、スリーブの大円部分（９）及びワッシャー（４）を収容できることを特徴とするモップロッド上に嵌れる回転式ハンドルジャケット。
【符号の説明】
【０００９】
１  モップロッド
２  スリーブ
３  接続ジャケット
４  ワッシャー
５  ボール
６  ボールフレーム
７  回転ジャケット
８  小円部分
９  大円部分
１０  孔
１１  孔広げステージ１
１２  孔広げステージ２
【図１】
0003166832.tif 000003
【図２】
0003166832.tif 000004
【図３】
0003166832.tif 000005
【図４】
0003166832.tif 000006
【図５】
0003166832.tif 000007